(57)【要約】【課題】  この発明は、作業者のベルトにかかる荷重を分散して、荷重が平均的にかかるようにすると共に、ベルト付近の通気性を良好にし、過度に汗ばむことを防止することを目的としたものである。【解決手段】  この発明は、補助ベルトの内装物に通気孔を設けると共に、表裏布に通気性を保有させることにより上記課題を解決した。【選択図】図１
2014019961.tif 000002
【特許請求の範囲】
【請求項１】
通気性を有する帯状の表布と裏布との間に、弾性板を介装して前記表布及び裏布の周縁を固定し、前記弾性板に多数の通気孔を設け、前記表布と裏布の周縁に取付環を設けたことを特徴とする作業者用補助ベルト。
【請求項２】
通気性を有する帯状の表布と裏布との間に、弾性板及び保形板を介装して前記表布及び裏布の周縁を固定し、前記弾性板及び保形板に多数の通気孔を設けたことを特徴とする作業者用補助ベルト。
【請求項３】
取付環は、安全ロープ取付環又は工具取付環としたことを特徴とする請求項１記載の作業者用補助ベルト。
【請求項４】
裏布は網布としたことを特徴とする請求項１又は２記載の作業者用補助ベルト。
【請求項５】
保形板は合成樹脂製の薄板であって、補助ベルトの保形用に介装したことを特徴とする請求項２又は３記載の作業者用補助ベルト。
【発明の詳細な説明】
【技術分野】
【０００１】
この発明は、建築、その他構造物の構築作業者が現場作業の際、工具袋などを取り付けるために、ベルトの内側に装着し、ベルトと作業者の身体とのなじみを良好にして、工具等の重量を腰回り全体で負担させるようにすることを目的とした作業者用補助ベルトに関する。
【背景技術】
【０００２】
従来、建築現場などにおける作業者は、作業中に必要な種類と数量の工具を入れるために、ベルトに腰袋を付けている。前記工具の多くは金属製であって重量が大きくなり、ベルトの変形が生じたり、一箇所（工具袋）に荷重がかかるために、作業者の身体に偏荷重がかかりやすく、そのために身体のバランスを崩して不慮の事故を生じたり、事故を大きくする原因になるおそれがあった。
【０００３】
そこで、前記偏荷重を少なくし、荷重のかかり方を可及的に均一化するために、ベルトの内側へ装着する幅の広い帯状の補助ベルトが提案されている。
【先行技術文献】
【特許文献】
【０００４】
【特許文献１】特開２００５−３５０８３１号公報
【発明の概要】
【発明が解決しようとする課題】
【０００５】
従来提案されていた補助ベルト（特許文献１）は、補助ベルトの内側面が身体から離れないようになっており、旧来のベルトの問題点を解決したものであるが、ベルトより幅広く身体に密着しているために、夏季などの高温の作業場所においては、補助ベルトの内側（身体側）に汗が溜まるなどの問題点があった。
【課題を解決するための手段】
【０００６】
この発明では、補助ベルトの身体接触側の資材を網布（例えば網目径５ｍｍ〜１０ｍｍ）とすると共に、内装物（例えば弾性板）に通気用の透孔を設け、補助ベルトの外側を通気性織布とすることにより、補助ベルトの通気性を良好にして前記従来の問題点を解決したのである。
【０００７】
この発明は、帯状本体の表面を織布とし、裏面を網布として内側に弾性板を収容し、前記弾性板に多数の通気孔を設けて通気性を付与したものである。
【０００８】
また、ベルトの中央部に合成樹脂製の保形板を改装し、ベルト全体を所定の形状に保たせてある。
【０００９】
前記保形板を内装したのは帯状本体を所定の形状に保たせるためであり、強度を要求するものではなく、保形効果を目的とするものであるから、通常は合成樹脂製であるが、他の材質（例えばアルミニウムなどの軽量金属）も採用し得る。
【００１０】
この発明の補助ベルトの外形については厳密な形状を要求するものではなく、ベルトと人体との間に介在する帯体であるから、幅及び長さは自ずと決まる。但し、内装する弾性板（例えばスポンジ版）の形状、大きさは適宜定める。
【００１１】
また、この発明の補助ベルトは、通気性を保有させた点で新規であり、従来知られている補助ベルトに対し数段優れている。例えば、高気温（例えば２０数度以上）の場所で作業すると、１０分〜２０分も経たない間に汗が流れ、補助ベルト部分に溜まるが、この発明の補助ベルトを使用すれば、汗が流れることがなく、溜まることもない。
【００１２】
なぜならば、ベルト当接部付近の通気性が良好であるために、汗は出るが直ぐに蒸発するからである。また、ベルトにかかる重量の大きさは、補助ベルトによって局所的には数分の１以下となり（ベルトと補助ベルトの面積比による）、発汗原因も少なくなるからである。
【００１３】
作業時の汗の量は作業量に比例するけれども、この発明の補助ベルトによれば、作業量に比し汗の量を従来よりも低減することができる。即ち、補助ベルトは作業着を介して広い面積で皮膚に当接するので、従来の補助ベルトに比べ、人体がベルトから受ける圧力は補助ベルトによって、おそらく数分の１以下になると考えられ、さらに、汗の蒸発により熱を奪うので、これらの相乗効果により作業時の汗の量を低減することができる。
【００１４】
試用者によれば、この発明の補助ベルトをした場合、発汗が少なく、発汗してもすぐに蒸発し、作業が楽になると報告されている。比較的低温下で作業できれば、作業者にとって快適となり、作業能率も向上する。
【発明の効果】
【００１５】
この発明によれば、ベルトの圧力が身体へ局部的に強く当たらないので、発汗量が少なくなり、汗が溜まることもない。従って、作業能率を向上できる効果がある。
【００１６】
また、ベルトの圧力及び工具の重量などから生じる圧力が分散され、身体へ局部的に無理な外力を受けるおそれがなく、快適に作業し得る効果がある。
【００１７】
さらに、発汗しても直ちに蒸発することにより、発汗部の熱が奪われるので、ベルト付近の皮膚が適度に冷却され、発汗を抑える効果がある。
【００１８】
また、保形板を内装したので、長期に使用しても型崩れがなく、従って力も適正に分散され、作業性が向上する効果がある。
【００１９】
さらに、内装材（弾性布、保形板など）に通気孔を設けると共に、外装を網としたので、皮膚の表面の熱は急速に奪われ、身体の局部の発熱を抑え、比較的低温に保てる効果がある。
【図面の簡単な説明】
【００２０】
【図１】（ａ）この発明の実施例の正面図、（ｂ）同じく一部を省略した平面図。
【図２】（ａ）同じく一部を省略した背面図、（ｂ）同じく一部を省略した断面拡大図。
【図３】（ａ）同じく一部を省略した背面図、（ｂ）同じく一部省略した断面拡大図。
【発明を実施するための形態】
【００２１】
この発明は、従来知られている補助ベルトに通気性を付与して汗の発生はもとより、汗が溜まるのを防止することを目的として改善したものである。
【００２２】
前記補助ベルトに通気性を保有させる場合には、補助ベルトの構成材をそれぞれ通気性材で構成する場合と、不通気性構成材に透孔を設けて通気性を付与する場合とがあるが、この発明では、補助ベルトの表布と裏布を通気性材で構成し、保形板と弾性板には通気孔を設けた。
【００２３】
前記通気孔は、小通気孔を全面に均等配置する場合と、複数の大通気孔を穿設する場合とあるが、何れもこの発明の技術的範囲に属するものである。
【実施例１】
【００２４】
この発明の実施例を図１、図２に基づいて説明する。中央部を幅広くした帯状の上下相似形の表布２と、同形の裏布３との間に保形板４とスポンジ版５を層着し、前記装着した表布２、裏布３の周縁部６を縫着して補助ベルト１を構成する。
【００２５】
表布２は、通気性を有する織布で、所定の強度を保有する。裏布３は、網布（例えば網目の大きさ４ｍｍ〜１０ｍｍ）よりなり、保形板４とスポンジ版５には、多数の通気孔１０、１０が設けられている。通気孔１０の大きさに制約はないが、例えば、直径１０ｍｍ程度で足り、幅１０ｍｍの溝（長さ２０ｍｍ〜３０ｍｍ）とすることもできる。従って、補助ベルト１の表布と裏布の間を自由に通気できれば足りる。
【００２６】
図中７は、主として作業者が安全帯非使用時に安全帯のフックを休止するために補助ベルト１の両側下部に設けた安全ロープ取り付け環、８、８は工具落下防止安全ロープの身体側取付場所又は工具取り付け環、９、９は、ベルト押さえバンド、１１は補助ベルト中央部の補強部、１２、１２は補助ベルト両端の補強部である。補助ベルト中央部の補強部１１、補助ベルト両端の補強部１２は、補助ベルト１全体の補強と保形を兼備しており、補助ベルト１を長期間使用しても、前記補強部１１、１２の形状が崩れない限り原形を留め、各部の作用効果を奏するようになっている。
【００２７】
本実施例では、補助ベルト１の中央部の幅に比し、両端部の幅を１／３程度に狭くしてあるが、その寸法に限定はなく、１／２程度でもよいが、両端部の幅を狭くした方が取扱い上便利かつ取扱いが容易である。
【実施例２】
【００２８】
この発明の他の実施例を図３に基づいて説明する。中央部を幅広くした帯状の上下相似形の表布２と、同形の裏布３との間にスポンジ版５を層着し、前記層着した表布２、裏布３の周縁部を縫着して補助ベルト１を構成する。
【００２９】
表布２は、通気性を有する織布で、所定の強度を保有する。裏布３は、網目（例えば大きさ４ｍｍ〜１０ｍｍ）よりなり、スポンジ版５には多数の通気孔１０、１０が設けられている。
【００３０】
通気孔１０の直径に制約はないが、例えば直径１０ｍｍ程度であり、円形の通気孔に代えて、幅１０ｍｍ、長さ２０ｍｍ〜３０ｍｍの溝を設けることもできる。即ち、表布２と裏布３との間に空気が自由に流通すればよいことになるが、全体としての保形性を保持するために、スポンジ版５の介在は必須要件である。
【００３１】
従って、スポンジ版５に通気孔を設ける代わりに、表布２と裏布３を正確に支持するスポンジ製の支柱を設けたのと同様であって、型崩れを生じない程度に支柱を配置する考えとほぼ一致する。
【００３２】
換言すれば、表布２と裏布３の関係位置を正確に維持することができることを念頭において、支柱の数と太さと配置を決めれば、目的を達成することになる。
【００３３】
この実施例では、保形板４を省略したので、保形性を維持することを念頭に置いてスポンジ製の支柱の数と太さを決定すれば目的を達成することができる。
【００３４】
特に、保形板４を使用しないこの実施例においては、型崩れを生じないことも留意してスポンジ板５と通気孔１０を配置する必要がある。
【符号の説明】
【００３５】
１  補助ベルト
２  表布
３  裏布
４  保形板
５  スポンジ版
１０  通気孔
【図１】
2014019961.tif 000003
【図２】
2014019961.tif 000004
【図３】
2014019961.tif 000005